(57)【要約】【課題】バルコニー柵ユニットを交換できるようにすることである。【解決手段】バルコニーＢを構成するバルコニー床スラブ１の周縁部に設けられた支柱取付部２に各柵支持支柱Ｐを立設し、各柵支持支柱Ｐに固着された柵取付具５のユニット取付板部５ｃに、ガラスユニットＵ１  を着脱可能に取付けて支持させる。【選択図】        図４
2004278279.tif 000002
【特許請求の範囲】
【請求項１】
建物から突出して設けられるバルコニーにおいて、前記バルコニーを構成するバルコニー床スラブの周縁部に取付けられるバルコニー柵装置であって、
前記バルコニー床スラブの周縁部に立設される複数本の柵支持支柱と、
前記各柵支持支柱に、柵取付具を介して支持されるバルコニー柵ユニットとから成り、
前記バルコニー柵ユニットは、前記柵支持支柱に着脱可能に取付けられていることを特徴とするバルコニー柵装置。
【請求項２】
前記バルコニー柵ユニットは、バルコニー床スラブの前面部よりも外側に張り出して取付けられていることを特徴とする請求項１に記載のバルコニー柵装置。
【請求項３】
前記各柵支持支柱は、連結バーによって連結されていることを特徴とする請求項１又は２に記載のバルコニー柵装置。
【請求項４】
前記連結バーは、建物側に向かって回動可能であることを特徴とする請求項３に記載のバルコニー柵装置。
【請求項５】
前記連結バーは、建物側に向かってスライド可能であることを特徴とする請求項３に記載のバルコニー柵装置。
【請求項６】
建物のバルコニーを構成するバルコニー床スラブの周縁部に設けられたバルコニー柵に取付けられる物干装置であって、
前記バルコニー柵に対して離隔可能に取付けられた支持アームと、
前記支持アームの先端部に、バルコニー柵の設置方向に沿って取付けられた物干バーとから成ることを特徴とする物干装置。
【請求項７】
建物のバルコニーを構成するバルコニー床スラブの周縁部に設けられたバルコニー柵に取付けられるスクリーン装置であって、
シート状のスクリーンと、非使用時におけるスクリーンを収納するためのスクリーン収納体とから成り、
前記スクリーン収納体から引き出されたスクリーンを、バルコニー柵に近接して干された洗濯物の全周を覆うべく略筒状に形成して使用されるように構成したことを特徴とするスクリーン装置。
【請求項８】
前記スクリーンは、ロール状に巻回されてバルコニー柵に収容されていることを特徴とする請求項７に記載のスクリーン装置。
【発明の詳細な説明】
【０００１】
【発明の属する技術分野】
本発明は、建物から突出して設けられるバルコニーにおいて、前記バルコニーを構成するバルコニー床スラブの周縁部に取付けられるバルコニー柵装置、物干装置、及びスクリーン装置に関するものである。
【０００２】
【従来の技術】
建物に設けられるバルコニーについては、多数の特許出願がされていて、各種の形態のものが存している（例えば、特許文献１参照）。しかし、従来のバルコニーの場合、バルコニー床スラブの周縁部に設けられるバルコニー柵は、該バルコニー床スラブに作り付けの構成となっているため、前記バルコニー柵のデザインを変更することは極めて困難である。また、前記バルコニー柵の一部が損傷しても、その全体を交換しなければならず、不経済である。
【０００３】
また、洗濯物を干すためには、バルコニーに物干台等の物干金物が設置されることがある。この結果、建物の美観が損なわれてしまう。更に、急な降水時には、前記洗濯物を取り込まなければならない。このため、降水確率の高い日に、洗濯物を干したままでの外出がしにくくなる。
【０００４】
【特許文献１】
特開平１１−３０３１９６号公報
【０００５】
【発明が解決しようとする課題】
本発明は、上記した不具合に鑑み、バルコニー柵のデザインの変更ができるようにすると共に、洗濯物が干されても建物の美観を損ねることがないようにすることと、バルコニーに干された洗濯物が雨水から保護されるようにすることを課題としている。
【０００６】
【課題を解決するための手段】
上記課題を解決するための請求項１に記載の発明は、建物から突出して設けられるバルコニーにおいて、前記バルコニーを構成するバルコニー床スラブの周縁部に取付けられるバルコニー柵装置であって、前記バルコニー床スラブの周縁部に立設される複数本の柵支持支柱と、前記各柵支持支柱に、柵取付具を介して支持されるバルコニー柵ユニットとから成り、前記バルコニー柵ユニットは、前記柵支持支柱に着脱可能に取付けられていることを特徴としている。
【０００７】
この発明では、バルコニーを構成するバルコニー柵ユニットは、バルコニー床スラブに立設された各柵支持支柱に、外側に張り出して設けられた柵取付具に取付けられている。しかも、このバルコニー柵ユニットは、前記柵支持支柱から着脱可能である。この結果、建物のデザインに合わせて最適なバルコニー柵ユニットを選定することができ、建物の美観を向上させることができる。また、バルコニー柵ユニットが老朽化した際に、交換することも容易である。
【０００８】
請求項２に記載の発明は、請求項１に記載の発明を前提として、前記バルコニー柵ユニットは、バルコニー床スラブの前面部よりも外側に張り出して取付けられていることを特徴としている。この発明の場合、バルコニー柵ユニットによってバルコニー床スラブの露出部分である前面部をも覆い隠すことができるため、建物の美観が更に向上する。
【０００９】
請求項３に記載の発明は、請求項１又は２に記載の発明を前提として、前記各柵支持支柱は、連結バーによって連結されていることを特徴としている。この発明の場合、各柵支持支柱が連結バーによって一体化されるため、柵支持支柱の強度が高められ、その結果、バルコニー柵ユニットの強度も高められる。また、前記連結バーを物干竿として使用することができるため、物干台等の物干金物の設置が不要であると共に、洗濯物が干されても、建物の美観を損ねることはない。更に、各柵支持支柱を低くして、前記連結バーを所定の高さ位置に配置することにより、該連結バーを、高齢者や身体障害者が自身を支持するための補助手摺として使用することができる。
【００１０】
請求項４に記載の発明は、請求項３に記載の発明を前提として、前記連結バーは、建物側に向かって回動可能であることを特徴としている。この発明では、前記連結バーを回動させることにより、バルコニー柵ユニットと連結バーとの間隔を調整でき、布団等の厚手の洗濯物であっても掛けることができる。
【００１１】
請求項５に記載の発明は、請求項３に記載の発明を前提として、前記連結バーは、建物側に向かってスライド可能であることを特徴としている。この発明では、前記連結バーをスライドさせることにより、バルコニー柵ユニットと連結バーとの間隔を調整でき、布団等の厚手の洗濯物であっても掛けることができる。
【００１２】
請求項６に記載の発明は、建物のバルコニーを構成するバルコニー床スラブの周縁部に設けられたバルコニー柵に取付けられる物干装置であって、前記バルコニー柵に対して離隔可能に取付けられた支持アームと、前記支持アームの先端部に、バルコニー柵の設置方向に沿って取付けられた物干バーとから成ることを特徴としている。このため、支持アームをバルコニー柵から離隔させることにより、両者の間隔が広くなり、物干バーに布団等の厚手の物であっても掛けることができる。また、ハンガー類を介して吊るされた洗濯物が、バルコニー柵と接触して汚れるおそれはない。
【００１３】
請求項７に記載の発明は、建物のバルコニーを構成するバルコニー床スラブの周縁部に設けられたバルコニー柵に取付けられるスクリーン装置であって、シート状のスクリーンと、非使用時におけるスクリーンを収納するためのスクリーン収納体とから成り、前記スクリーン収納体から引き出されたスクリーンを、バルコニー柵に近接して干された洗濯物の全周を覆うべく略筒状に形成して使用されるように構成したことを特徴としている。この発明によれば、洗濯物がスクリーンで覆われるため、降水時であっても雨水から保護される。また、急な降水があっても、洗濯物を取り込む手間が不要であるため、降水確率の高い日であっても、洗濯物を干したまま外出することができる。
【００１４】
請求項８に記載の発明は、請求項７に記載の発明を前提として、前記スクリーンは、ロール状に巻回されてバルコニー柵に収容されていることを特徴としている。この発明によれば、非使用状態のスクリーンはバルコニー柵に収容される。このため、バルコニー及び建物の美観が向上する。
【００１５】
【発明の実施の形態】
以下、実施形態をあげて、本発明を更に詳細に説明する。図１は本発明の第１実施形態のバルコニー柵装置Ａ１  の斜視図、図２は同じく正面図、図３は同じくコーナー部の平面断面図、図４は同じく側面図、図５は柵取付具５の部分の平面断面図、図６はガラスユニットＵ１  を構成する各部材を分離させた状態の斜視図、図７はガラスユニットＵ１  の側面断面図である。最初に、第１実施形態のバルコニー柵装置Ａ１  について説明する。第１実施形態のバルコニー柵装置Ａ１  は、図１ないし図４に示されるように、バルコニー柵ユニットの一例であるガラスユニットＵ１  が、バルコニー床スラブ１の前面部１ａよりも前方に配置されていると共に、各柵支持支柱Ｐが連結バーＣによって一体に連結されている場合である。
【００１６】
図３及び図４に示されるように、建物Ｖから張り出して設けられたバルコニー床スラブ１の周縁部は、排水等の便宜を図るため、バルコニー床スラブ１の床部１ｂよりも高くなっていて、各柵支持支柱Ｐを取付けるための支柱取付部２が形成されている。そして、この支柱取付部２には、その周方向に所定間隔をおいて、複数本の柵支持支柱Ｐが立設されている。各柵支持支柱Ｐは、断面方形状の鉄芯３の外側部分に、前記鉄芯３と略相似形状のアルミ形材より成る外枠材４が嵌め込まれた形態であり、それらの下端部が、前記バルコニー床スラブ１の支柱取付部２に埋設されている。この結果、各柵支持支柱Ｐは、バルコニー床スラブ１の支柱取付部２に、強固に立設される。
【００１７】
図５に示されるように、各柵支持支柱Ｐの側面部には、ガラスユニットＵ１  を支持するための柵取付具５（持出枠）が取付けられている。この柵取付具５は、平面視において略クランク形状である。即ち、柵支持支柱Ｐを構成する外枠材４の一辺長さよりも少し短い長さを有する基板部５ａと、該基板部５ａからほぼ直角に折り曲げられた屈曲板部５ｂと、該屈曲板部５ｂから反対方向にほぼ直角に折り曲げられたユニット取付板部５ｃとから構成されている。そして、前記基板部５ａと前記屈曲板部５ｂとの内側部分に形成された内側コーナー部が、柵支持支柱Ｐを構成する外枠材４の外側コーナー部に密着される。この状態で、前記柵取付具５の基板部５ａが、取付ねじ６によって柵支持支柱Ｐに固着される。第１実施形態のバルコニー柵装置Ａ１  を構成する柵取付具５は、各柵支持支柱Ｐに取付けられたとき、ユニット取付板部５ｃの先端部（ガラスユニットＵ１  を支持する部分）が、バルコニー床スラブ１よりも少し突出するだけの長さを有している。なお、図５において、４ａは、連結プレート２４（後述）を取付ける雌ねじを形成させるための突起部である。
【００１８】
前記柵取付具５に、バルコニー柵ユニットの一例であるガラスユニットＵ１  が支持される。ガラスユニットＵ１  について説明する。このガラスユニットＵ１  は、図５ないし図７に示されるように、ガラス板７と、該ガラス板７を支持するためにその周縁部に嵌め込まれる上下左右の各ガラス支持枠８，９，１１と、前記各ガラス支持枠８，９，１１の外側部分に取付けられる上下左右の各パネル枠１２〜１５とから構成されている。最初に、各ガラス支持枠８，９，１１について説明する。各ガラス支持枠８，９，１１の構成はほぼ同一であるため、ここでは、下側ガラス支持枠９についてのみ説明する。図６及び図７に示されるように、下側ガラス支持枠９は、断面略Ｌ字状の手前側の下側ガラス支持枠単体９ａと、前記手前側の下側ガラス支持枠単体９ａに対応する断面略Ｌ字状の奥側の下側ガラス支持枠単体９ｂが組み合わせられて構成されている。組合せ状態における下側ガラス支持枠９は、断面視においてガラス板７の厚みよりも広い幅の開口部を有する略Ｕ字状であり、前記開口部に、ガラス板７の下端部を両側から密着するための一対のシーリング材１６が相対向して取付けられている。前記ガラス板７は、その下端部が、前記一対のシーリング材１６の間に押し込まれることにより、下側ガラス支持枠９に支持される。このとき、ガラス板７の下端部は、一対のシーリング材１６に密着するため、当該部分における水密が図られる。
【００１９】
次に、各パネル枠１２〜１５について説明する。図６に示されるように、これらのパネル枠１２〜１５は、ガラス板７の周縁部に嵌め込まれた各ガラス支持枠８，９，１１の外側部分に取付けられる。このようにして、ガラスユニットＵ１  が形成される。ここで、上下の各パネル枠１２，１３は、ガラスユニットＵ１  の上下の部分に装飾用の上桟部１７と下桟部１８とを取付けるためのものであり、左右の各パネル枠１４，１５は、前述した柵取付具５のユニット取付板部５ｃを取付けるためのものである。最初に、上下の各パネル枠１２，１３について説明する。ここで、上下の各パネル枠１２，１３は、それらの取付状態における向きが異なるだけで同一形状である。そのため、ここでは、上側パネル枠１２についてのみ説明する。
【００２０】
図７に示されるように、前記上側パネル枠１２は、可撓性を有する樹脂材より成り、上側ガラス支持枠８よりも広い幅を有している。そして、その幅方向（換言すれば、ガラスユニットＵ１  の取付状態における前後方向）における前後の端縁部１９，２１がほぼ直角に屈曲されていて、更に、それらの先端部が、幅方向の中心線側に向かって傾斜状態に屈曲されて、各屈曲部１９ａ，２１ａ  が形成されている。そして、上方から、底面部が開口された断面略台形状を有する上桟部１７が押し込まれて装着される。即ち、上桟部１７の前後の下端縁部２０ａ，２０ｂ  が、上側パネル枠１２の前後の端縁部１９，２１に装着される。全く同様にして、下側パネル枠１３に下桟部１８が装着される。この結果、ガラスユニットＵ１  の上下の部分の美観が向上する。
【００２１】
次に、左右の各パネル枠１４，１５について説明する。ここで、左右の各パネル枠１４，１５も、前述した上下の各パネル枠１２，１３と同様に、それらの取付状態における向きが異なるだけで同一形状であるため、左側パネル枠１４についてのみ説明する。図５及び図６に示されるように、この左側パネル枠１４は、アルミ形材より成り、上下の各パネル枠１２，１３と同一の幅を有している。そして、その前面部は、僅かに側方に張り出していて、ストッパ部１４ａが形成されている。ガラスユニットＵ１  が柵取付具５に支持されるとき、前記柵取付具５のユニット取付板部５ｃの先端縁部が、左側パネル枠１４のストッパ部１４ａにほぼ当接される。このようにして、バルコニー床スラブ１に対するガラスユニットＵ１  の取付位置が定められる。そして、各取付ねじ２２により、柵取付具５のユニット取付板部５ｃと左側パネル枠１４とが一体に固着される。このようにして、柵取付具５にガラスユニットＵ１  が支持される。
【００２２】
図４に示されるように、第１実施形態のバルコニー柵装置Ａ１  のガラスユニットＵ１  は、バルコニー床スラブ１の前面部１ａよりも少し前方に配置される。しかも、ガラスユニットＵ１  に取付けられた下桟部１８の底面部は、バルコニー床スラブ１の底面部とほぼ同一高さに配置されている。このため、外側に露出するバルコニー床スラブ１の前面部１ａは、ガラスユニットＵ１  及び下桟部１８によって覆い隠される。この結果、建物Ｖの美観が良好である。
【００２３】
次に、連結バーＣについて説明する。図４に示されるように、本実施形態のバルコニー柵装置Ａ１  を構成する連結バーＣは円筒状の再生木より成り、その内周部分に鉄芯２３が挿入された形態である。各柵支持支柱Ｐの上面には、該柵支持支柱Ｐを構成する外枠材４とほぼ同一の幅を有する連結プレート２４が、各取付ねじ２５によって固着されている。この連結プレート２４の後部（建物Ｖに対向する部分）は、各柵支持支柱Ｐから突出されていると共に、その上面部は、前記連結バーＣの外径に対応してわん曲されていて、前記連結バーＣを載置するための受け部２４ａが形成されている。この受け部２４ａに連結バーＣが載置され、該連結バーＣの下部が固定ねじ（図示せず）によって固着される。このように、各柵支持支柱Ｐは、連結バーＣによって一体に取付けられているため、各柵支持支柱Ｐの強度が高められる。
【００２４】
しかも、この連結バーＣは、物干竿としての機能も有している。即ち、連結バーＣの上端部は、ガラスユニットＵ１  に取付けられた上桟部１７よりも少し低い位置に存している。そして、ガラスユニットＵ１  と連結バーＣとの間には、所定の間隔Ｌの空間部が形成されている。このため、前記連結バーＣに、ハンガーＨを介して洗濯物Ｗ（図１２参照）を吊るすことができる。この結果、バルコニー柵装置Ａ１  に、物干台等の物干金物を設置する必要がない。しかも、前記連結バーＣの上端部は、上桟部１７よりも下方に存しているため、前記連結バーＣに掛けられた洗濯物Ｗ等が、外部から視認されにくくなり、建物Ｖの美観を損ねることはない。
【００２５】
本実施形態のバルコニー柵装置Ａ１  では、該バルコニー柵装置Ａ１  を構成するガラスユニットＵ１  が着脱可能に取付けられている。このため、図８に示されるように、柵取付支柱Ｐから各柵取付具５を取り外し、更に、前記各柵取付具５からガラスユニットＵ１  を取り外すことができる。そして、前記ガラスユニットＵ１  を、例えば、パンチングメタルユニットＵ２  に交換することができる。このパンチングメタルユニットＵ２  は、図９に示されるように、多数の小孔２６が設けられたパンチングメタルプレート２７の周縁部に、上下左右の各パネル枠１２〜１５が固着された形態である。そして、該パンチングメタルユニットＵ２  の大きさは、前記ガラスユニットＵ１  の大きさと同一であり、しかも、前記上下左右の各パネル枠１２〜１５は、ガラスユニットＵ１  に使用されているものと同一である。このため、柵取付具５と上下の各桟部１７，１８をそのままにして、ガラスユニットＵ１  の部分だけをパンチングメタルユニットＵ２  に交換することができる。この結果、建物Ｖのデザインに合わせて最適なバルコニー柵ユニットを選定することができる。
【００２６】
本実施形態のバルコニー柵装置Ａ１  の作用について説明する。図４に示されるように、バルコニー床スラブ１の支柱取付部２に所定間隔を置いて、各柵支持支柱Ｐが立設される。各柵支持支柱Ｐは、それらの上面に取付けられた各連結プレート２４に連結バーＣが固着されることにより、一体に取付けられる。このため、各柵支持支柱Ｐの強度が高められる。各柵支持支柱Ｐの側面部に、柵取付具５が取付けられる。この柵取付具５の長さを変更することにより、ガラスユニットＵ１  の位置を変更することができる。そして、前記柵取付具５の先端部（ユニット取付板部５ｃ）に、バルコニー柵ユニットの一例であるガラスユニットＵ１  が取付けられ、支持される。ガラスユニットＵ１  を構成するガラス板７は、その周縁部が各ガラス支持枠８，９，１１に支持されていて、前記各ガラス支持枠８，９，１１が各パネル枠１２〜１５に支持されている。このため、ガラス板７が単体の場合と比較して強度が高く、該ガラス板７が割れにくい。しかも、このガラスユニットＵ１  は、柵取付具５に対して着脱可能であるため、建物Ｖのデザインに合わせて最適なバルコニー柵ユニットを選定することができる。また、前記ガラスユニットＵ１  が老朽化したときにも、容易に交換することができる。
【００２７】
更に、連結バーＣを物干竿として使用することができ、物干台等の物干金物を設置したり、建物Ｖの美観を損ねたりすることなく、バルコニーＢに洗濯物を干すことができる。
【００２８】
次に、第２実施形態のバルコニー柵装置Ａ２  について説明する。図１０に示されるように、第２実施形態のバルコニー柵装置Ａ２  は、柵取付具２８の長さが短く、ガラスユニットＵ１’が、バルコニー床スラブ１の支柱取付部２の直上に配置されている場合である。このガラスユニットＵ１’は、第１実施形態のバルコニー柵装置Ａ１  を構成するガラスユニットＵ１  と比較して、その高さが低くなっているだけで、他の構成はほとんど同一である。そして、前記ガラスユニットＵ１’の前面は、バルコニー床スラブ１の前面部１ａとほぼ同一の垂直面内に配置されている。この実施形態のバルコニー柵装置Ａ２  の場合、第１実施形態のバルコニー柵装置Ａ１  と同様に、建物Ｖのデザインに合わせてバルコニー柵ユニットを選定したり、前記ガラスユニットＵ１’を他のバルコニー柵ユニットに交換したりすることができるという利点を損なうことなく、ガラスユニットＵ１’の製作費が安価になるという利点がある。
【００２９】
次に、第３実施形態のバルコニー柵装置Ａ３  について説明する。この実施形態のバルコニー柵装置Ａ３  は、図１１に示されるように、各柵支持支柱Ｐ’が、第１実施形態のバルコニー柵装置Ａ１  における各柵支持支柱Ｐよりも低くなっている場合である。こうすることにより、各柵支持支柱Ｐ’に取付けられた連結バーＣを、補助手摺として使用することができる。特に、バルコニー床スラブ１の床部１ｂから連結バーＣの上端部までの高さを８５ｃｍ程度とすることにより、該連結バーＣを、高齢者や身体障害者等が自身を支持するための補助手摺として使用することができる。
【００３０】
次に、第４実施形態のバルコニー柵装置Ａ４  について説明する。この実施形態のバルコニー柵装置Ａ４  は、図１２に示されるように、第１実施形態のバルコニー柵装置Ａ１  の柵支持支柱Ｐの上端部に物干装置Ｄ１  を取付けた形態である。前述したように、各実施形態のバルコニー柵装置Ａ１  〜Ａ３  では、連結バーＣを物干竿として利用することができる。しかし、特に第２実施形態のバルコニー柵装置Ａ２  の場合、ガラスユニットＵ１’から連結バーＣまでの間隔Ｌ’（図１０参照）が短いため、布団等の厚手の物を掛けることが困難であったり、連結バーＣに掛けた洗濯物ＷがガラスユニットＵ１’に触れて汚れるおそれがある。しかし、柵支持支柱Ｐの上端部に物干装置Ｄ１  を取付け、該物干装置Ｄ１  に装着された連結バーＣを手前側（建物Ｖの側）に回動させることにより、ガラスユニットＵ１’と連結バーＣとの間隔Ｌ１  を広くすることができる。
【００３１】
次に、物干装置Ｄ１  について説明する。図１３及び図１４に示されるように、柵支持支柱Ｐの上端部には、上部と背面部（建物Ｖと相対向する側の部分）が開口した三股状のブラケット３１が取付けられている。このブラケット３１の各開口部分には、水平方向に沿って各支点ピン３２が取付けられていて、各支点ピン３２の部分に一対の支持アーム３３の下端部が装着されている。一対の支持アーム３３の構成は、それらの向きが対称になっているだけで構成は全く同一である。この支持アーム３３の下端部には、その長手方向に沿って長孔３３ａが設けられていて、当該長孔３３ａの部分に前記支点ピン３２が挿通されている。このため、前記支持アーム３３は、長孔３３ａの形成方向に沿って移動可能であると共に、支点ピン３２の軸心を中心として回動可能である。
【００３２】
そして、起立状態における支持アーム３３の上端部には、円筒部３３ｂが設けられていて、該円筒部３３ｂに連結バーＣが挿通されている。この結果、前記連結バーＣは、バルコニー床スラブ１の周縁方向に沿って配置される。また、起立状態における支持アーム３３の下端部には、突起片３３ｃが突出している。この突起片３３ｃは、支持アーム３３の起立状態で、ブラケット３１に設けられた嵌合孔３１ａに入り込んでいる。このため、起立状態の支持アーム３３はそのままの状態で保持され、水平方向に外力が作用しても倒れるおそれはない。しかも、前記長孔３３ａの長さは、支持アーム３３の突起片３３ｃの突出長よりも長い。このため、起立状態の支持アーム３３を上方に持ち上げると、前記突起片３３ｃがブラケット３１の嵌合孔３１ａから離脱される。これにより、前記支持アーム３３は、支点ピン３２の軸心を中心として回動可能となり、該支持アーム３３をそのまま手前側（建物Ｖの側）に回動させることができる。水平状態に配置された支持アーム３３は、ブラケット３１の底部と支点ピン３２とによって高さ方向に拘束された状態で保持される。その状態を、図１３において二点鎖線で示す。この結果、図１２に示されるように、ガラスユニットＵ１’と連結バーＣとの間隔Ｌ１  が広くなり、前記連結バーＣに掛けられたハンガーＨを介して吊るされた洗濯物Ｗが、ガラスユニットＵ１’に接触するおそれがなくなる。また、洗濯物Ｗを干す必要がないときには、支持アーム３３を起立状態にさせておくことにより、バルコニーＢを広く使用することができる。
【００３３】
次に、別の物干装置Ｄ２  について説明する。図１５に示されるように、各柵支持支柱Ｐの上面にブラケット３４を取付けると共に、連結バーＣにおいて前記ブラケット３４に対応する部分に、支持アーム３５を延設する。この支持アーム３５の基端部には、支点ピン３６が取付けられていて、該支点ピン３６は、前記ブラケット３４に支承されている。このため、連結バーＣは、前記支点ピン３６の軸心を中心に回動自在である。
【００３４】
更に、前記支持アーム３５において、ブラケット３４に入り込んでいる部分の側方部分にはストッパ部３５ａが突出されていて、該ストッパ部３５ａと柵支持支柱Ｐとの間にねじりコイルばね３７が弾装されている。このため、連結バーＣは、前記ねじりコイルばね３７によって常に上方に付勢されていて、その支持アーム３５が、水平面に対して斜め上方を向く傾斜状態を呈している。この連結バーＣに布団等の重量物が掛けられると、該連結バーＣは無動力で回動し、支持アーム３５の部分がほぼ水平状態となって停止する。この結果、ガラスユニットＵ１’と連結バーＣとの間隔Ｌ２  が広くなり、布団等の厚手の物であっても、ガラスユニットＵ１’に触れることなく、前記連結バーＣに掛けることができる。なお、図１５において、３８は、支持アーム３５のストッパである。
【００３５】
また、図１６及び図１７に示される物干装置Ｄ３  のように、連結バーＣを手前側（建物Ｖの側）にスライドさせることによって、ガラスユニットＵ１’との間隔Ｌ３  を広くさせてもよい。即ち、連結プレート３９の長さを、前述した第２実施形態のバルコニー柵装置Ａ２  における連結プレート２４（図１０参照）よりも長くして、その前端部を柵支持支柱ＰからガラスユニットＵ１’の側に突出させると共に、柵支持支柱Ｐを構成する外枠材４の突起部４ａ（図５参照）に対応する部分に長孔３９ａを形成する。そして、蝶ねじ４１を締め込んで、前記連結プレート３９を柵支持支柱Ｐの外枠材４に固着する。前記蝶ねじ４１を緩めることにより、連結プレート３９を、各長孔３９ａの形成方向に沿って手前側（建物Ｖの側）にスライドさせることができる。この結果、ガラスユニットＵ１’と連結バーＣとの間隔Ｌ３  が広くなり、布団等の厚手の物であっても、ガラスユニットＵ１’に触れることなく、前記連結バーＣに掛けることができる。
【００３６】
上記した物干装置Ｄ１  〜Ｄ３  を、バルコニーＢに立設された既設のバルコニー柵４２に取付けることもできる。即ち、図１８に示されるように、既設のバルコニー柵４２の所定高さ位置にブラケット４３を取付け、該ブラケット４３に物干装置Ｄ１  を取付ける。この実施形態の場合であっても、支持アーム３３を手前側に回動させることにより、バルコニー柵４２と連結バーＣとの間隔Ｌ４  を広くすることができる。また、図１９に示されるように、バルコニー床スラブ１から延設されたバルコニー柵４４の上端部に物干装置Ｄ１  を取付けた場合であっても、上記と同様な効果が奏される。
【００３７】
次に、第５実施形態のバルコニー柵装置Ａ５  について説明する。図２０及び図２１に示されるように、この実施形態のバルコニー柵装置Ａ５  は、ガラスユニットＵ１  の上端部に取付けられた上桟部１７に、洗濯物Ｗを雨水から保護するためのスクリーン装置Ｓ１  が取付けられている場合である。このスクリーン装置Ｓ１  は、前記上桟部１７に回動可能に支承されたロール体４５に、薄いスクリーン４６が巻き取られた形態である。このスクリーン４６は、ロール体４５の部分に取付けられたばね体（図示せず）により、常に、ロール体４５の軸心に向かって引っ張られている。そして、その先端部は、上桟部１７の背面側（建物Ｖと対向する側）に設けられた開口部１７ａから抜け出していて、その繰り出し側の端部には、クリップ体４７が取付けられている。このクリップ体４７は、上桟部１７の開口部１７ａの幅よりも大きいため、軸心に向かって引っ張られているスクリーン４６が、前記開口部１７ａから上桟部１７の内部に入り込んでしまうことはない。また、前記上桟部１７の背面部には、スクリーン４６を繰り出したときに、前記クリップ体４７を止めるための止着部４８が設けられている。なお、図２２において、上桟部１７から引き出されたスクリーン４６及びクリップ体４７を二点鎖線で示す。
【００３８】
このスクリーン装置Ｓ１  の作用について説明する。図２０及び図２１に示されるように、連結バーＣに掛けられたハンガーＨに洗濯物Ｗが吊るされる。晴天時であれば、このままの状態で、前記洗濯物Ｗが天日によって乾かされる。もし、降水確率が高い日に、このままの状態で外出等する場合には、上桟部１７からスクリーン４６を繰り出し、洗濯物ＷとガラスユニットＵ１  との間を通過させた後、前記洗濯物Ｗを包み込むようにして持ち上げ、クリップ体４７を止着部４８に止着させる。この結果、洗濯物Ｗの全体が、筒状に形成されたスクリーン４６によって被覆される。この状態であっても、スクリーン４６の両端部は開口しているため、洗濯物Ｗを取り出すことができる。。これにより、洗濯物ＷをバルコニーＢに干したまま外出し、その間に急な降水があっても、前記洗濯物Ｗが雨水から保護される。
【００３９】
また、図２３に示される別のスクリーン装置Ｓ２  は、上桟部１７に収容されたロール体４５に、２枚のスクリーン４６が重なり状態で巻き取られていて、各スクリーン４６の繰り出し側の端部に、それぞれクリップ体４７が取付けられた形態である。このスクリーン装置Ｓ２  を使用して洗濯物Ｗを被覆する場合、図２４に示されるように、繰り出された２枚のスクリーン４６で洗濯物Ｗを覆い、その下方で各スクリーン４６のクリップ体４７を連結させる。このスクリーン装置Ｓ２  の場合、２枚のスクリーン４６が取付けられているため、洗濯物Ｗの被覆が簡単にできるという利点がある。
【００４０】
更に、図２５に示される別のスクリーン装置Ｓ３  のように、上桟部１７に、１枚のスクリーン４６が巻き取られた２本のロール体４５を、二段重ねの状態で取付けることにより、上記した実施形態のスクリーン装置Ｓ２  と同様の効果が奏される。
【００４１】
本明細書では、バルコニー柵ユニットとして、ガラスユニットＵ１，Ｕ１’とパンチングメタルユニットＵ２  の場合を記載した。しかし、このバルコニー柵ユニットは、上記したガラスユニットＵ１，Ｕ１’、パンチングメタルユニットＵ２  以外のもの、例えば、多数本の縦格子が取付けられた格子ユニット、１枚のシート板が取付けられたシートユニット等であっても構わない。
【００４２】
また、各実施形態における連結バーＣは、鉄芯２３が挿入された再生木である。再生木はリサイクル材であるため安価であると共に、鉄芯２３が挿入されているため強度に優れていて、しかも、美観が良好である。しかし、再生木以外のもの、例えば、樹脂、アルミ、ステンレス等から成るものであっても構わない。
【００４３】
本明細書では、バルコニー柵装置Ａ５  を構成するガラスユニットＵ１  の上桟部１７にスクリーン装置Ｓ１  〜Ｓ３  が取付けられている場合について説明した。しかし、これらのスクリーン装置Ｓ１  〜Ｓ３  は、通常のバルコニー柵４２，４４（即ち、交換可能にユニット化されていないバルコニー柵）に取付けられていても構わない。この場合、前記バルコニー柵４２，４４の近傍に設置された物干台に吊るされている洗濯物Ｗが被覆されて、雨水から保護される。
【００４４】
また、前記スクリーン装置Ｓ１  〜Ｓ３  を構成する各スクリーン４６は、ロール体４５に巻き取られた状態で上桟部１７に収容されている。このため、非使用時には、各スクリーン４６が外部に露出しておらず、美観が良好である。しかし、各スクリーン４６が、常に露出されていても構わない。
【００４５】
更に、上記した各スクリーン４６を着色してもよい。これにより、洗濯物Ｗが、外部から視認されにくくなると共に、該洗濯物Ｗが干された状態であっても建物Ｖの美観を向上させることができる。
【００４６】
【発明の効果】
本発明に係るバルコニー柵装置は、建物から突出して設けられるバルコニーにおいて、前記バルコニーを構成するバルコニー床スラブの周縁部に取付けられるバルコニー柵装置であって、前記バルコニー床スラブの周縁部に立設される複数本の柵支持支柱と、前記各柵支持支柱に、柵取付具を介して支持されるバルコニー柵ユニットとから成り、前記バルコニー柵ユニットは、前記柵支持支柱に着脱可能に取付けられていることを特徴としている。このため、建物のデザインに合わせて最適なバルコニー柵ユニットを選定することができ、建物の美観を向上させることができる。また、前記バルコニー柵ユニットが老朽化した際に、交換することも容易である。
【００４７】
本発明に係る物干装置は、建物のバルコニーを構成するバルコニー床スラブの周縁部に設けられたバルコニー柵に取付けられる物干装置であって、前記バルコニー柵に対して離隔可能に取付けられた支持アームと、前記支持アームの先端部に、バルコニー柵の設置方向に沿って取付けられた物干バーとから成ることを特徴としている。このため、支持アームをバルコニー柵から離隔させることにより、両者の間隔が広くなり、物干バーに布団等の厚手の物であっても掛けることができる。また、ハンガー類を介して吊るされた洗濯物が、バルコニー柵と接触して汚れるおそれはない。
【００４８】
本発明に係るスクリーン装置は、建物のバルコニーを構成するバルコニー床スラブの周縁部に設けられたバルコニー柵に取付けられるスクリーン装置であって、シート状のスクリーンと、非使用時におけるスクリーンを収納するためのスクリーン収納体とから成り、前記スクリーン収納体から引き出されたスクリーンを、バルコニー柵に近接して干された洗濯物の全周を覆うべく略筒状に形成して使用されるように構成したことを特徴としている。このため、急な降水があっても、洗濯物が雨水から保護される。また、降水確率の高い日であっても、洗濯物を干したまま外出することができる。
【図面の簡単な説明】
【図１】本発明の第１実施形態のバルコニー柵装置Ａ１  の斜視図である。
【図２】同じく正面図である。
【図３】同じくコーナー部の平面断面図である。
【図４】同じく側面図である。
【図５】柵取付具５の部分の平面断面図である。
【図６】ガラスユニットＵ１  を構成する各部材を分離した状態の斜視図である。
【図７】ガラスユニットＵ１  の側面断面図である。
【図８】ガラスユニットＵ１  を取り外す状態の平面図である。
【図９】パンチングメタルユニットＵ２  の側面断面図である。
【図１０】第２実施形態のバルコニー柵装置Ａ２  の側面図である。
【図１１】第３実施形態のバルコニー柵装置Ａ３  の側面図である。
【図１２】第４実施形態のバルコニー柵装置Ａ４  の側面図である。
【図１３】物干装置Ｄ１  の側面図である。
【図１４】図１３のＸ矢視図である。
【図１５】物干装置Ｄ２  の側面図である。
【図１６】物干装置Ｄ３  の側面図である。
【図１７】同じく平面図である。
【図１８】物干装置Ｄ１  を、既設のバルコニー柵４２に取付けた場合の側面図である。
【図１９】同じく、別のバルコニー柵４４に取付けた場合の側面図である。
【図２０】第５実施形態のバルコニー柵装置Ａ５  の側面図である。
【図２１】スクリーン装置Ｓ１  の斜視図である。
【図２２】同じく側面断面図である。
【図２３】スクリーン装置Ｓ２  の側面断面図である。
【図２４】スクリーン装置Ｓ２  が取付けられたバルコニー柵装置Ａ５  の側面図である。
【図２５】スクリーン装置Ｓ３  の側面図である。
【符号の説明】
Ａ１  〜Ａ５  ：バルコニー柵装置
Ｂ：バルコニー
Ｃ：連結バー（物干バー）
Ｄ１  〜Ｄ３  ：物干装置
Ｐ，Ｐ’：柵支持支柱
Ｓ１  〜Ｓ３  ：スクリーン装置
Ｕ１，Ｕ１’：ガラスユニット（バルコニー柵ユニット）
Ｕ２  ：パンチングメタルユニット（バルコニー柵ユニット）
Ｖ：建物
Ｗ：洗濯物
１：バルコニー床スラブ
１ａ：前面部
２：支柱取付部（周縁部）
５，２８：柵取付具
３３，３５：支持アーム
３９：連結プレート（支持アーム）
４２，４４：バルコニー柵
４５：ロール体（スクリーン収納体）
４６：スクリーン
【図１】
2004278279.tif 000003
【図２】
2004278279.tif 000004
【図３】
2004278279.tif 000005
【図４】
2004278279.tif 000006
【図５】
2004278279.tif 000007
【図６】
2004278279.tif 000008
【図７】
2004278279.tif 000009
【図８】
2004278279.tif 000010
【図９】
2004278279.tif 000011
【図１０】
2004278279.tif 000012
【図１１】
2004278279.tif 000013
【図１２】
2004278279.tif 000014
【図１３】
2004278279.tif 000015
【図１４】
2004278279.tif 000016
【図１５】
2004278279.tif 000017
【図１６】
2004278279.tif 000018
【図１７】
2004278279.tif 000019
【図１８】
2004278279.tif 000020
【図１９】
2004278279.tif 000021
【図２０】
2004278279.tif 000022
【図２１】
2004278279.tif 000023
【図２２】
2004278279.tif 000024
【図２３】
2004278279.tif 000025
【図２４】
2004278279.tif 000026
【図２５】
2004278279.tif 000027